(57)【要約】      （修正有）【課題】FPC又はFFCの挿入のし易さが改善されたFPC又はFFC用コネクタを提供する。【解決手段】FPCコネクタ１は、FPC２の接続端部３が挿入される挿入空間４が形成されたハウジング５と、ハウジング５内に、FPC２の接続端部３の挿入方向Dと直交する方向に複数並べられたコンタクト６とを備え、挿入方向Dが基板７の主面８の面方向と略平行となるように基板７の主面８に搭載されて用いられる。ハウジング５は、挿入空間４よりも基板７側のベース１１と、ベース１１と挿入空間４を挟んで反対側のカバー１２とを有する。カバー１２の挿入空間４側の壁面には、挿入空間４に近づく方向へ傾斜したガイド面１９が形成されている。【選択図】図７
2011222195.tif 000002
【特許請求の範囲】
【請求項１】
FPC又はFFCの接続端部が挿入される挿入空間が形成されたハウジングと、
前記ハウジング内に、前記FPC又はFFCの前記接続端部の挿入方向と直交する方向に複数並べられたコンタクトとを備え、
前記挿入方向が基板の主面の面方向と略平行となるように前記基板の前記主面に搭載されて用いられるFPC又はFFC用コネクタであって、
前記ハウジングは、前記挿入空間よりも前記基板側となる第１ハウジング部と、前記第１ハウジング部と前記挿入空間を挟んで反対側の第２ハウジング部とを有し、
前記第１ハウジング部と前記第２ハウジング部のうち何れか一方の前記挿入空間側の壁面には、前記挿入空間に近づく方向へ傾斜したガイド面が形成されている、
ことを特徴とするFPC又はFFC用コネクタ。
【請求項２】
請求項１に記載のFPC又はFFC用コネクタであって、
前記ガイド面は、前記第１ハウジング部と前記第２ハウジング部のうち何れか一方の先端部の前記挿入空間側の壁面に形成されている、
ことを特徴とするFPC又はFFC用コネクタ。
【請求項３】
請求項１又は２に記載のFPC又はFFC用コネクタであって、
前記ガイド面は、単一の平面により、又は、複数の平面の組み合わせにより形成されている、
ことを特徴とするFPC又はFFC用コネクタ。
【請求項４】
請求項１又は２に記載のFPC又はFFC用コネクタであって、
前記ガイド面は、湾曲面により形成されている、
ことを特徴とするFPC又はFFC用コネクタ。
【請求項５】
請求項１又は２に記載のFPC又はFFC用コネクタであって、
前記ガイド面は、複数の平面と、前記複数の平面間を滑らかに接続するための湾曲面とにより形成されている、
ことを特徴とするFPC又はFFC用コネクタ。
【請求項６】
請求項１〜５の何れかに記載のFPC又はFFC用コネクタであって、
前記ガイド面は、前記第２ハウジング部に形成されている、
ことを特徴とするFPC又はFFC用コネクタ。
【請求項７】
請求項１〜５の何れかに記載のFPC又はFFC用コネクタであって、
前記ガイド面は、前記第１ハウジング部に形成されている、
ことを特徴とするFPC又はFFC用コネクタ。
【請求項８】
請求項１〜７の何れかに記載のFPC又はFFC用コネクタであって、
前記ガイド面が形成された前記第１ハウジング部又は前記第２ハウジング部は、前記挿入方向とは反対の方向へ突出した第１の状態から、前記第１の状態から前記挿入方向へ後退した第２の状態へと切り替え可能に構成されている、
ことを特徴とするFPC又はFFC用コネクタ。
【請求項９】
請求項８に記載のFPC又はFFC用コネクタであって、
前記ガイド面が形成された前記第１ハウジング部又は前記第２ハウジング部は、前記第２の状態において、前記FPC又はFFCに対して接触するように構成されている、
ことを特徴とするFPC又はFFC用コネクタ。
【発明の詳細な説明】
【技術分野】
【０００１】
本発明は、FPC（Flexible Printed Circuits）又はFFC(Flexible Flat Cable)用コネクタに関する。
【背景技術】
【０００２】
特許文献１は、従来の技術として、本願の図１８に示すFPCコネクタを開示している。図１８（ａ）はＦＰＣコネクタの装着前の状態を示し、図１８（ｂ）はＦＰＣコネクタの装着後の状態を示している。一対の平行なプリント配線基板５２の夫々の上面一端部の切り込み端部にレセプタクルコネクタ５３が設けられている。
【０００３】
レセプタクルコネクタ５３は、レセプタクルインシュレータ５４内に設けられたレセプタクルコンタクト５５と、このコンタクト周囲に設けられた補強金具５６と、スライドインシュレータ５７とを備えている。レセプタクルコンタクト５５は、断面コ字状を有し、レセプタクルインシュレータ５４の開口寄りに突出した一対の接触部５５ａ、５５ａの一方の内側に、係合部５５ｂを備え、他方の接触部５５ａの先端は丸くなっている。
【０００４】
スライドインシュレータ５７は、断面Ｌ字形状を備えた板体からなり、また、スライドインシュレータ５７のＬ字形状の短い板体５７ｂは、長い板体５７ｃよりも厚めに形成されており、上方に配置されたスライドインシュレータ５７の短い板体５７ｂは、上方に、下方に配置されたスライドインシュレータ５７は短い板体５７ｂが下方に向くように装着される。このＬ字形状の長い方の板体５７ｃの先端は、斜面５７ａを有して尖っており、挿入前において、この斜面５７ａが基板５２一面に略平行になるように、開口部５８内に、長い板体５７ｃの先端部が浅く挿入されている。
【０００５】
プラグ側のＦＰＣ６０は、Ｕ字形状を有するように折り曲げられたときに、それぞれ対向する一端部に接点部６１が互いに外側方向に、中央部よりも厚く外側部は中央部と段をなすように、形成されている。
【０００６】
このような構成のコネクタを接続するには、図１８（ａ）の状態にして、ＦＰＣ６０を仮挿入して、夫々のスライドインシュレータ５７をコンタクト５５内に挿入させるような操作をおこなうと、図１８（ｂ）に示すように、装着状態となり、接点部６１と、係合部５５ｂとが互いに圧接する。後に、カバー６５を基板５２の端面に、図示しないねじ等の固定部材で当接固定して、コネクタ５３内への塵の侵入を防止する。
【先行技術文献】
【特許文献】
【０００７】
【特許文献１】特許第２８６９８５１号公報
【発明の概要】
【発明が解決しようとする課題】
【０００８】
上記特許文献１が従来の技術として開示しているFPCコネクタ（レセプタクルコネクタ５３）には、FPCの挿入のし易さの観点で、改善の余地が残されていた。
【０００９】
本願発明の目的は、FPC又はFFCの挿入のし易さが改善されたFPC又はFFC用コネクタを提供することにある。
【課題を解決するための手段】
【００１０】
本願発明の観点によれば、FPC又はFFCの接続端部が挿入される挿入空間が形成されたハウジングと、前記ハウジング内に、前記FPC又はFFCの前記接続端部の挿入方向と直交する方向に複数並べられたコンタクトとを備え、前記挿入方向が基板の主面の面方向と略平行となるように前記基板の前記主面に搭載されて用いられるFPC又はFFC用コネクタは、以下のように構成される。即ち、前記ハウジングは、前記挿入空間よりも前記基板側となる第１ハウジング部と、前記第１ハウジング部と前記挿入空間を挟んで反対側の第２ハウジング部とを有する。前記第１ハウジング部と前記第２ハウジング部のうち何れか一方の前記挿入空間側の壁面には、前記挿入空間に近づく方向へ傾斜したガイド面が形成されている。
【００１１】
上記のFPC又はFFC用コネクタは、更に、以下のように構成される。即ち、前記ガイド面は、前記第１ハウジング部と前記第２ハウジング部のうち何れか一方の先端部の前記挿入空間側の壁面に形成されている。
【００１２】
上記のFPC又はFFC用コネクタは、更に、以下のように構成される。即ち、前記ガイド面は、単一の平面により、又は、複数の平面の組み合わせにより形成されている。
【００１３】
上記のFPC又はFFC用コネクタは、更に、以下のように構成される。即ち、前記ガイド面は、湾曲面により形成されている。
【００１４】
上記のFPC又はFFC用コネクタは、更に、以下のように構成される。即ち、前記ガイド面は、複数の平面と、前記複数の平面間を滑らかに接続するための湾曲面とにより形成されている。
【００１５】
上記のFPC又はFFC用コネクタは、更に、以下のように構成される。即ち、前記ガイド面は、前記第２ハウジング部に形成されている。
【００１６】
上記のFPC又はFFC用コネクタは、更に、以下のように構成される。即ち、前記ガイド面は、前記第１ハウジング部に形成されている。
【００１７】
上記のFPC又はFFC用コネクタは、更に、以下のように構成される。即ち、前記ガイド面が形成された前記第１ハウジング部又は前記第２ハウジング部は、前記挿入方向とは反対の方向へ突出した第１の状態から、前記第１の状態から前記挿入方向へ後退した第２の状態へと切り替え可能に構成されている。
【００１８】
上記のFPC又はFFC用コネクタは、更に、以下のように構成される。即ち、前記ガイド面が形成された前記第１ハウジング部又は前記第２ハウジング部は、前記第２の状態において、前記FPC又はFFCに対して接触するように構成されている。
【発明の効果】
【００１９】
本願発明によれば、前記挿入方向と平行でない姿勢の前記FPC又はFFCの前記接続端部を前記挿入空間へ挿入するに際し、前記FPC又はFFCの前記接続端部を前記ガイド面に突き当てると、前記FPC又はFFCの前記接続端部の姿勢が、前記ガイド面によって、前記挿入方向に対して平行な姿勢に近づくように矯正される。従って、挿入前における前記FPC又はFFCの前記接続端部の姿勢の如何に拘わらず、前記FPC又はFFCの前記接続端部を前記挿入空間に挿入し易いFPC又はFFC用コネクタが実現される。
【図面の簡単な説明】
【００２０】
【図１】第１実施形態に係るFPCコネクタの斜視図
【図２】図１の２−２線矢視断面図
【図３】第１実施形態に係るFPCコネクタの側面図
【図４】FPCコネクタのハウジングのカバーの拡大断面図
【図５】第１実施形態に係るFPCコネクタの作動説明図
【図６】第１実施形態に係るFPCコネクタの作動説明図
【図７】第１実施形態に係るFPCコネクタの作動説明図
【図８】第１実施形態に係るFPCコネクタの作動説明図
【図９】第１実施形態に係るFPCコネクタの作動説明図
【図１０】第２実施形態に係るFPCコネクタのハウジングのカバーの拡大断面図
【図１１】第３実施形態に係るFPCコネクタのハウジングのカバーの拡大断面図
【図１２】第４実施形態に係るFPCコネクタのハウジングのカバーの拡大断面図
【図１３】第５実施形態に係るFPCコネクタの断面図
【図１４】第５実施形態に係るFPCコネクタの作動説明図
【図１５】第５実施形態に係るFPCコネクタの作動説明図
【図１６】第５実施形態に係るFPCコネクタの作動説明図
【図１７】第５実施形態に係るFPCコネクタの作動説明図
【図１８】特許文献１の図４に相当する図
【発明を実施するための形態】
【００２１】
（第１実施形態）
以下、図１〜図９を参照しつつ、第１実施形態に係るFPCコネクタについて説明する。
【００２２】
図１に示すFPCコネクタ１（FPC又はFFC用コネクタ）は、図９に示すようにFPC２の接続端部３が挿入される挿入空間４が形成されたハウジング５と、ハウジング５内に、FPC２の接続端部３の挿入方向Dと直交する方向（図９の紙面に対する法線方向）に複数並べられたコンタクト６（図１も併せて参照）とを備え、挿入方向Dが基板７の主面８の面方向と略平行となるように基板７の主面８に搭載されて用いられるものである。このFPCコネクタ１は、本実施形態ではZIF（Zero Insertion Force）構造に構成されており、図１に示すようにハウジング５の端面５ａに設けられた一対の補助金具９を介して図９に示す基板７の主面８に固定されるようになっている。参考までに、本実施形態に係るFPCコネクタ１は、高さが４ｍｍであり幅が９ｍｍである。
【００２３】
（ハウジング５）
ハウジング５は、図９に示すように、コンタクト６を保持するハウジング本体１０と、挿入空間４よりも基板側となる第１ハウジング部としてのベース１１と、ベース１１と挿入空間４を挟んで反対側の第２ハウジング部としてのカバー１２と、コンタクト６を開閉操作するための加圧部材１３とを備えている。ベース１１は、基板７と挿入空間４の間に形成されている。カバー１２は、基板７と挿入空間４を挟んで反対側に形成されている。本実施形態においてハウジング本体１０は、ベース１１とは一体的に形成されており、カバー１２とは別体となっている。また、本実施形態に係るFPCコネクタ１は、加圧部材１３をFPC２の接続端部３の挿入側とは反対側へ押し倒す所謂バックフリップ型に構成されている。
【００２４】
図３に示すように、ハウジング本体１０の端部１０ａには、カバー１２の端面１２ａに形成された突起１２ｂを上下に挟む一対のスライドガイド１０ｂが形成されている。このスライドガイド１０ｂの存在により、カバー１２は、ハウジング本体１０に対して基板７の主面８の面方向においてスライド自在にハウジング本体１０に支持されている。また、一対のスライドガイド１０ｂのうち基板７側のスライドガイド１０ｂには、切替用突起１０ｃが形成されている。この切替用突起１０ｃは、例えば図７に示すようにカバー１２が挿入方向Dとは反対の方向へ突出した進出状態（第１の状態）と、この進出状態から挿入方向Dへ図８に示すように後退した後退状態（第２の状態）との間でカバー１２の状態を確実に切り替えるためのものである。なお、図１に示す補助金具９は図３において省略している。
【００２５】
また、ハウジング本体１０は、図２に示すように基板７の主面８に対して対向する底壁１０ｐと、コンタクト６を挟んで底壁１０ｐと反対側の上壁１０ｑと、底壁１０ｐと上壁１０ｑの間の側壁１０ｒとを有している。側壁１０ｒには、上下一対のコンタクト挿入孔１０ｓ、１０ｔが形成されている。
【００２６】
（コンタクト６）
コンタクト６は、図２に示すように、ハウジング５に対して固定される固定片１４と、ハウジング５内で若干回転することが可能な可動片１５と、固定片１４と可動片１５を連結する連結部１６と、固定片１４を基板７の主面８に対して電気的に接続するための端子部１７とを主たる構成として備え、略H字状に形成されている。そして、固定片１４をハウジング本体１０の側壁１０ｒのコンタクト挿入孔１０ｓに、可動片１５をハウジング本体１０の側壁１０ｒのコンタクト挿入孔１０ｔに夫々挿入することで、コンタクト６はハウジング本体１０によって保持されるようになっている。
【００２７】
また、固定片１４と可動片１５は双方の長手方向略中央にて連結部１６によって連結されている。固定片１４の後端部１４ａと、可動片１５の後端部１５ａとの間には加圧部材１３のカム部１３ａが挿入されている。この構成で、加圧部材１３が回転操作されて加圧部材１３のカム部１３ａが可動片１５の後端部１５ａを押し上げると、可動片１５の先端部１５ｂが固定片１４の先端部１４ｂに対して接近し、もって、コンタクト６は、挿入空間４を開いた開状態から挿入空間４を閉じた閉状態（図９も併せて参照）へと切り替わる。
【００２８】
また、可動片１５の先端部１５ｂには、挿入空間４に挿入されたFPC２の接続端部３がコンタクト挿入孔１０ｔ内に誤って進入してしまうのを防止するための進入防止部１５ｃが形成されている。
【００２９】
（ガイド面１９）
図２に示すように、カバー１２の先端部１２ｄの挿入空間４側の壁面１８には、挿入空間４に近づく方向へ傾斜したガイド面１９が形成されている。また、本実施形態においてガイド面１９は、図４に示すように、複数の平面１９ｐと、複数の平面１９ｐ間を滑らかに接続するための湾曲面１９ｃとにより形成されており、全体として略湾曲した形状となっている。なお、カバー１２には、図８に示す後退状態においてコンタクト６との干渉を回避できるよう、図２に示すようにコンタクト６を収容可能なスリット１２ｓが櫛状に多数、形成されている。
【００３０】
（作動）
次に、FPCコネクタ１と基板７を挟んで反対側（図２で基板７の裏面７ｒ側）で挿入空間４の挿入方向Dと反対の方向に延びるFPC２をFPCコネクタ１に接続する際のFPCコネクタ１の特徴ある作動を説明する。本実施形態に係るFPCコネクタ１は、図９に示すように、FPC２のケーブル長には殆ど余裕がなく、FPC２を基板７の端面７ａの極めて近傍で、概ね１８０°折り返されるようにきつく湾曲してFPCコネクタ１に挿入しなければならない、といった挿入のし易さの観点から見れば極めて悪条件の状況において特に有用である。
【００３１】
先ず、図１に示すFPCコネクタ１を図２に示すように基板７の主面８に取り付ける。このとき、ハウジング５の加圧部材１３は予め起立状態となっており、従って、コンタクト６は挿入空間４を開いた開状態となっている。また、カバー１２は予め進出状態となっており、この結果、図２の例では、カバー１２の先端部１２ｄは基板７の端面７ａよりもハウジング本体１０から離れる方へ突出した状態となっている。即ち、カバー１２の先端部１２ｄ、及び先端部１２ｄの挿入空間４側の壁面１８に形成したガイド面１９は、基板７の裏面７ｒ側から見える状態となっている。
【００３２】
次に、図５に示すように、FPC２の先端部２ａをなるべく強く（好ましくは図示するように略９０度）湾曲させて、FPC２の接続端部３を進出状態にあるカバー１２のガイド面１９に押し付ける。すると、図６に示すように、FPC２の接続端部３がガイド面１９から反作用力Hを受けることで、FPC２の接続端部３の姿勢が挿入方向Dに対して平行な姿勢に近づくように自動的に矯正される。
【００３３】
次に、図７に示すように、挿入方向Dに対して略平行な姿勢となったFPC２の接続端部３をハウジング５のハウジング本体１０の側壁１０ｒに突き当たるまでハウジング５の挿入空間４に挿入する。なお、このとき、FPC２のケーブル長には殆ど余裕がないので、FPC２は基板７の端面７ａに対して極めて接近することになる。
【００３４】
次に、図８に示すように、カバー１２の状態を進出状態から後退状態へと切り替える。すると、FPCコネクタ１自身は非常にコンパクトになると同時に、カバー１２の先端部１２ｄの下端１２ｃはFPC２の先端部２ａに対して接触し、FPC２の先端部２ａを若干撓ませる。
【００３５】
最後に、図９に示すように、加圧部材１３を回転操作することで、コンタクト６を閉状態に切り替え、FPC２の接続端部３とコンタクト６との間の接触を達成する。
【００３６】
（まとめ）
（１）以上説明したように本実施形態においてFPCコネクタ１は、図１〜図９に示すように、FPC２の接続端部３が挿入される挿入空間４が形成されたハウジング５と、ハウジング５内に、FPC２の接続端部３の挿入方向Dと直交する方向に複数並べられたコンタクト６とを備え、挿入方向Dが基板７の主面８の面方向と略平行となるように基板７の主面８に搭載されて用いられる。ハウジング５は、挿入空間４よりも基板７側となるベース１１と、ベース１１と挿入空間４を挟んで反対側のカバー１２とを有する。カバー１２の挿入空間４側の壁面１８には、挿入空間４に近づく方向へ傾斜したガイド面１９が形成されている。◆以上の構成によれば、挿入方向Dと平行でない姿勢のFPC２の接続端部３を挿入空間４へ挿入するに際し、FPC２の接続端部３をガイド面１９に突き当てると、FPC２の接続端部３の姿勢が、ガイド面１９によって、挿入方向Dと平行な姿勢に近づくように矯正される。従って、挿入前におけるFPC２の接続端部３の姿勢の如何に拘わらず、FPC２の接続端部３を挿入空間４に挿入し易いFPCコネクタ１が実現される。この結果、FPC２の配線作業に要する時間を短縮することができる。
【００３７】
（特許文献１の設計思想について）
ここで、上記特許文献１の設計思想について言及しておく。即ち、例えば特許文献１に開示のFPCコネクタ（図１８参照）のように、挿入方向が基板の主面の面方向と略平行となるように基板に搭載されて用いられる一般的なFPCコネクタの技術分野においては、通常の設計思想として、FPCの接続端部は、FPCコネクタへの挿入直前において、挿入方向に対して既に平行な姿勢になっていると想定されている。従って、一般的なFPCコネクタにおいては、挿入空間の開口部が挿入方向と反対の方向へ徐々に広がるように形成されており、この形状は、既に平行な姿勢となっている接続端部の、挿入空間の開口部に対する位置ズレを解消するのに利用される。一方で、図２に示すように上記第１実施形態に係るカバー１２のガイド面１９の傾斜方向は、上記特許文献１に開示の技術とは全く逆となっており、ここに、上記第１実施形態の技術思想と上記特許文献１の技術思想の間には根本的な思想の隔たりがあることが理解されよう。
【００３８】
（２）また、図６に示すように、ガイド面１９は、カバー１２の先端部１２ｄの挿入空間４側の壁面１８に形成されている。◆以上の構成によれば、図５に示すように、FPC２の接続端部３をガイド面１９に突き当て易くなるので、FPC２の接続端部３を挿入空間４に一層挿入し易いFPCコネクタ１が実現される。
【００３９】
（３）また、ガイド面１９は、カバー１２に形成されている。以上の構成は、FPCコネクタ１と基板７を挟んで反対側に位置するFPC２の接続端部３を挿入空間４に挿入しようとする場合に適している。
【００４０】
（４）また、ガイド面１９が形成されたカバー１２は、挿入方向Dとは反対の方向へ突出した図７の進出状態から、進出状態から挿入方向Dへ後退した図８の後退状態へと切り替え可能に構成されている。◆以上の構成で、ガイド面１９の姿勢矯正機能を発揮させる際は図７の進出状態を利用し、ガイド面１９の姿勢矯正機能が十分に発揮できるようにする。一方で、ガイド面１９の姿勢矯正機能が不要となったら図７の進出状態から図８の後退状態へと切り替えて、FPCコネクタ１自体を挿入方向Dにおいてコンパクトにする。このように、以上の構成によれば、ガイド面１９を使うときは使い易く、使い終わったらFPCコネクタ１自体がコンパクトになれるメリハリの効いたFPCコネクタ１が実現される。
【００４１】
なお、FPCコネクタ１自体のコンパクト化は、FPCコネクタ１と他の部品との干渉防止に寄与する。
【００４２】
（５）また、ガイド面１９が形成されたカバー１２は、図８の後退状態において、FPC２に対して接触するように構成されている。◆以上の構成によれば、FPC２の支持点が１つ多く確保されるので、FPCコネクタ１はFPC２を一層安定的に保持することができるようになる。また、FPC２を挿入空間４に挿入することで湾曲することとなったFPC２の有する自己弾性復元力の一部をガイド面１９が受け止めることになるので、上記自己弾性復元力を受け止める他の構成要素（例えば図２に示すコンタクト６の可動片１５の先端部１５ｂ）の負担を軽減することができる。
【００４３】
以上に本願発明の好適な第１実施形態を説明したが、上記第１実施形態は以下のように変更することができる。
【００４４】
即ち、上記第１実施形態に係るFPCコネクタ１は、加圧部材１３をFPC２の接続端部３の挿入側とは反対側へ押し倒す所謂バックフリップ型に構成されている。しかし、これに代えて、FPCコネクタ１は、加圧部材１３をFPC２の接続端部３の挿入側へ押し倒す所謂フロントフリップ型に構成されていてもよい。
【００４５】
また、上記第１実施形態に係るFPCコネクタ１は、FPC２の接続端部３を挿入空間４に挿入する際に押し込む力を必要としない所謂ZIF型に構成されているとしたが、これに代えて、FPC２の接続端部３を挿入空間４に挿入する際に押し込む力を必要とする所謂NON-ZIF型に構成されていてもよい。
【００４６】
また、上記第１実施形態に係るFPCコネクタ１は、FPC２を基板７に対して接続するものであるとしたが、FFCを基板７に対して接続することもできる。この意味で、FPCコネクタ１は、FPC又はFFC用コネクタということができる。
【００４７】
（第２実施形態）
次に、図１０を参照しつつ、本願発明の第２実施形態を説明する。以下、本実施形態が上記第１実施形態と相違する点を中心に説明し、重複する説明については適宜割愛する。また、上記第１実施形態で説明した構成要素に対応する構成要素には原則として同一の符号を付すこととする。本実施形態に係るカバー１２のガイド面１９は、図１０に示すように、単一の平面１９ｐにより構成されている。この場合でも、図６に示す上記第１実施形態と同様、FPC２の接続端部３の姿勢を矯正する機能が問題なく発揮される。また、ガイド面１９が単一の平面により構成されていることで外観がシンプルとなり、この点、FPC２の接続端部３をカバー１２のガイド面１９に押し付ける際、あれこれと悩むことがない。
【００４８】
（第３実施形態）
次に、図１１を参照しつつ、本願発明の第３実施形態を説明する。以下、本実施形態が上記第１実施形態と相違する点を中心に説明し、重複する説明については適宜割愛する。また、上記第１実施形態で説明した構成要素に対応する構成要素には原則として同一の符号を付すこととする。本実施形態に係るカバー１２のガイド面１９は、図１１に示すように、複数の平面１９ｐの組み合わせにより構成されている。この場合でも、図６に示す上記第１実施形態と同様、FPC２の接続端部３の姿勢を矯正する機能が問題なく発揮される。
【００４９】
（第４実施形態）
次に、図１２を参照しつつ、本願発明の第４実施形態を説明する。以下、本実施形態が上記第１実施形態と相違する点を中心に説明し、重複する説明については適宜割愛する。また、上記第１実施形態で説明した構成要素に対応する構成要素には原則として同一の符号を付すこととする。本実施形態に係るカバー１２のガイド面１９は、図１２に示すように、湾曲面１９ｃにより構成されている。この場合でも、図６に示す上記第１実施形態と同様、FPC２の接続端部３の姿勢を矯正する機能が問題なく発揮される。
【００５０】
（第５実施形態）
次に、図１３〜図１７を参照しつつ、本願発明の第５実施形態を説明する。以下、本実施形態が上記第１実施形態と相違する点を中心に説明し、重複する説明については適宜割愛する。また、上記第１実施形態で説明した構成要素に対応する構成要素には原則として同一の符号を付すこととする。
【００５１】
例えば図２に示すように、上記第１実施形態においてベース１１はハウジング本体１０と一体的に形成されており、カバー１２はハウジング本体１０に対して基板７の主面８の面方向においてスライド自在にハウジング本体１０に支持されているとした。しかし、これに代えて、本実施形態では、カバー１２がハウジング本体１０と一体的に形成されており、ベース１１はハウジング本体１０に対して基板７の主面８の面方向においてスライド自在にハウジング本体１０に支持されている。そして、上述したガイド面１９は、ベース１１の先端部１１ａの挿入空間４側の壁面２２に形成されている。ガイド面１９が挿入空間４に近づく方向へ傾斜している点については、上記第１実施形態と同様である。
【００５２】
（作動）
次に、基板７とFPCコネクタ１を挟んで反対側で挿入空間４の挿入方向Dと反対の方向に延びるFPC２をFPCコネクタ１に接続する際のFPCコネクタ１の特徴ある作動を説明する。本実施形態に係るFPCコネクタ１は、図１７に示すように、FPC２のケーブル長には余裕が殆どなく、FPC２を、カバー１２の先端側端面１２ｅの極めて近傍で、概ね１８０°折り返されるようにきつく湾曲してFPCコネクタ１に挿入しなければならない、といった挿入のし易さの観点から見れば極めて悪条件の状況において特に有用である。
【００５３】
先ず、FPCコネクタ１を図１３に示すように基板７の主面８に取り付ける。このとき、ハウジング５の加圧部材１３は予め起立状態となっており、従って、コンタクト６は挿入空間４を開いた開状態となっている。また、ベース１１は予め進出状態となっている。
【００５４】
次に、図１４に示すように、FPC２の先端部２ａをなるべく強く（好ましくは図示するように略９０度）湾曲させて、FPC２の接続端部３を進出状態にあるベース１１のガイド面１９に押し付ける。すると、図６と同様に、FPC２の接続端部３の姿勢は、ガイド面１９によって、挿入空間４の挿入方向Dに対して平行な姿勢に近づくように自動的に矯正される。
【００５５】
次に、図１５に示すように、挿入方向Dに対して略平行な姿勢となったFPC２の接続端部３を、ハウジング５のハウジング本体１０の側壁１０ｒに突き当たるまでハウジング５の挿入空間４に挿入する。なお、このとき、FPC２のケーブル長には殆ど余裕がないので、FPC２はカバー１２の先端側端面１２ｅに対して接近することになる。
【００５６】
次に、図１６に示すように、ベース１１の状態を進出状態から後退状態へと切り替える。すると、FPCコネクタ１自身は非常にコンパクトになると同時に、ベース１１の先端部１１ａの上端１１ｃはFPC２の先端部２ａに対して接触し、FPC２の先端部２ａを若干撓ませる。
【００５７】
最後に、図１７に示すように、加圧部材１３を回転操作することで、コンタクト６を閉状態に切り替え、FPC２の接続端部３とコンタクト６との間の接触を達成する。
【００５８】
（まとめ）
（６）以上説明したように本実施形態において、ガイド面１９は、ベース１１に形成されている。◆以上の構成は、基板７とFPCコネクタ１を挟んで反対側に位置するFPC２の接続端部３を挿入空間４に挿入しようとする場合に適している。
【符号の説明】
【００５９】
１  FPCコネクタ
２  FPC
３  接続端部
４  挿入空間
５  ハウジング
６  コンタクト
７  基板
８  主面
１１  ベース
１２  カバー
１８  壁面
１９  ガイド面
１９ｐ  平面
１９ｃ  湾曲面
D  挿入方向
【図１】
2011222195.tif 000003
【図２】
2011222195.tif 000004
【図３】
2011222195.tif 000005
【図４】
2011222195.tif 000006
【図５】
2011222195.tif 000007
【図６】
2011222195.tif 000008
【図７】
2011222195.tif 000009
【図８】
2011222195.tif 000010
【図９】
2011222195.tif 000011
【図１０】
2011222195.tif 000012
【図１１】
2011222195.tif 000013
【図１２】
2011222195.tif 000014
【図１３】
2011222195.tif 000015
【図１４】
2011222195.tif 000016
【図１５】
2011222195.tif 000017
【図１６】
2011222195.tif 000018
【図１７】
2011222195.tif 000019
【図１８】
2011222195.tif 000020